(57)【要約】【課題】先端筆記部に付着したインキが毛細管現象などによって、摺動部分に回り込んでしまう危険性が高く、その結果、回り込んだインキの固化などによって摺動不良、即ち、筆記体の前後動（出没）不良を起こしてしまう危険性があった。【解決手段】軸筒の前端から出没可能な筆記体を内設し、その筆記体の出没動作に連動して蓋体が開閉する出没式筆記具であって、前記筆記体にシール筒部を摺動可能に配置し、そのシール筒部の前方に前記蓋体を取り付けると共に、シール筒部の内方部には大径部を形成した出没式筆記具。【選択図】  図１
2004330452.tif 000002
【特許請求の範囲】
【請求項１】
軸筒の前端から出没可能な筆記体を内設し、その筆記体の出没動作に連動して蓋体が開閉する出没式筆記具であって、前記筆記体にシール筒部を摺動可能に配置し、そのシール筒部の前方に前記蓋体を取り付けると共に、シール筒部の内方部には大径部を形成したことを特徴とする出没式筆記具。
【請求項２】
前記シール筒の大径部を筆記体の先端に取り付けられている筆記部の近傍に形成したことを特徴とする請求項１記載の出没式筆記具。
【請求項３】
前記筆記部の外径を、筆記体のシール筒部に対する摺動部の外径とほぼ同径にしたことを特徴とする請求項１或いは、請求項２に記載の出没式筆記具。
【発明の詳細な説明】
【０００１】
【発明の属する技術分野】
本発明は、軸筒の前端から出没可能な筆記体を内設し、その筆記体の出没動作に連動して蓋体が開閉する出没式筆記具に関する。
【０００２】
【従来の技術】
１例として、本体内に、筆記体の前方部分が出没する透通孔を有するシール筒を設け、該シール筒と本体間に糸状部材を通過させる手段を設けると共に、シール筒の先端孔付近に揺動自在にシール蓋を取り付け、また、本体内には先端筆記部と空気孔を有する筆記体を収容し、該筆記体の先端筆記部がシール筒内に引っ込んだ収納時の空気孔より後方位置にシール体を配置し、かつ筆記体を前進させて筆記状態に係止し後退させて収納状態とする前進後退機構を設け、前記シール蓋と筆記体とを、シール蓋が開いた後も筆記体が前進でき、シール蓋が閉じた後は筆記体、筆記体と連動する部材の何れかの後退を阻止するように、前記糸状部材により連結したことを特徴とする乾燥防止機構を有するキャップレス筆記具がある（特許文献１参照）。
【０００３】
【特許文献１】
特公平５−６８３６０号公報（特許請求の範囲、並びに、第１図など）。
【０００４】
【発明が解決しようとする課題】
ところで、前記従来の構成にあっては、先端筆記部近傍のシール筒の先端小径部の内径と筆記体の小径部の外径がほぼ同径となっている。よって、シール筒と筆記体とのシール（密閉）は、空気孔よりも後方に配置されたシール体によってなされ、そのシール体の部分がシール筒と筆記体との摺動部分となっているが、前述のように、先端筆記部が位置するシール筒の先端小径部の内径と筆記体の小径部の外径がほぼ同径となっている為、その部分でも摺動してしまっている。つまり、先端筆記部の近傍でもシール筒と筆記体との摺動動作が行われているのである。よって、前記先端筆記部に付着したインキが毛細管現象などによって、前記の摺動部分に回り込んでしまう危険性が高く、その結果、回り込んだインキの固化などによって筆記部の乾燥を促進させてしまったり、摺動不良、即ち、筆記体の前後動（出没）不良を起こしてしまう危険性もあった。
【０００５】
【課題を解決するための手段】
本発明は、軸筒の前端から出没可能な筆記体を内設し、その筆記体の出没動作に連動して蓋体が開閉する出没式筆記具であって、前記筆記体にシール筒部を摺動可能に配置し、そのシール筒部の前方に前記蓋体を取り付けると共に、シール筒部の内方部には大径部を形成したことを要旨とする。
【０００６】
【作用】
微小空間ながらも、筆記部近傍には毛細管現象が作用しない空間が形成される。
【０００７】
【実施例】
図１〜図５に本発明の１例について説明する。図１は筆記体２が収納されている状態を示す部分縦断面図である。軸筒１には弾発部材７を介して後方（図中上側）に移動不能にシール筒部３が段部で係止されセットされている。そのシール筒部３の後方内面には、樹脂材質から形成された筆記体２の前方の外壁と密閉を保つための内方リブが形成されている。また、シール蓋４には、３本の細線部５が放射状にしかも等間隔（１２０度間隔）な位置に一体に形成されている。その細線部５の後端はガイド筒６に固定され弾発部材７の付勢により、前記シール蓋４を後方に押し当て、そのシール蓋４とシール筒部３との密閉が保たれている。
軸筒１の先端部は筆記体２の先端が出没可能に摺動する先端開口穴が設けられ、後端は筆記体２を形成する後方部材（尾栓）２ｂを摺動可能に配置できる後端開口穴が設けられている。また、軸筒１の側面には摺動駒９が長手方向に摺動可能で、先端方向に係止部１ｂを形成した案内溝１ａが形成されている。その案内溝１ａの後方は軸筒１の後端開口部と連接されず、案内溝１ａは軸筒１の側面で閉じた窓部を形成している。即ち、案内溝１ａの先端と後端（後端部１ｃ）は、閉塞されているのである。また、案内溝１ａの後端部１ｃは、筆記体２が軸筒１に収納されているときの摺動駒９の係止部ともなり得る。更に、その後端部１ｃからは、円周方向に規制溝１ｉが形成されている。不使用時、この規制溝１ｉに凹状の傾斜部９ｅを位置させておくことによって、不慮の出没動作を防止しているのである。尚、規制溝１ｉの内面には下方に向けて突起１ｊが形成されており、後述する基部９ｂの凹状の傾斜部９ｅが係合し得るようになっている。即ち、摺動駒９が軸筒１に対して不用意に回転しないようになっているのである。
【０００８】
次に、前記シール筒部３について詳述する。シール筒部３の内面後方には、断面が半円弧状のシール部３ａが環状に形成されている。このシール部３ａは、上下の２段に形成されており、前記筆記体２の前方部材２ａと液密摺動する部分となっている。即ち、シール筒部３の内空間部３ｂとその外側とを遮断する部分となっているが、相対的に摺動が可能なものとなっている。具体的には、シール筒部３が軸筒１に固定されている為、筆記体２（前方部材２ａ）がシール筒部３に対して摺動する。又、その内空間部３ｂの内径は、前記筆記体２の筆記部１０の外径とほぼ同様な外径を有している。内空間部３ｂを極力小さくすることによって、筆記部１０の乾燥は基より、筆記部１０からのインキの乾燥をも防止しているのである。しかし、その筆記部１０に対応する内空間部３ｂの位置には、大径部３ｃが形成されている。筆記部１０に付着しているインキの内空間部３ｂに対する転写を防止すると共に、毛細管現象による前記シール部３ａへのインキの回り込みを防止しているのである。大径部と言っても毛細管現象が働かない程度の大径部となっており、具体的には、他の部分よりも直径にして０．８ｍｍ程度大きな内径となっているが、０．６ｍｍ〜１．０ｍｍ程度であるならば同様な効果をなす。
【０００９】
前記摺動駒９は、軸筒１の外側に釦部９ａと案内溝１ａ内を摺動係止する基部９ｂと軸筒１の内側で筆記体２を抱設する内方部９ｃとからなる。図１では、摺動駒９の基部９ｂの後方が案内溝１ａの後端部１ｃに当接あるいは僅かな隙間をもって配置されている。
図３は筆記体２が突出した状態（筆記状態）を示した部分縦断面図である。摺動駒９の基部９ｂ後方に形成した凹状の傾斜部９ｅが、軸筒１の鋭角な係止部（突起）１ｂに係止され筆記状態を保つことができる。この状態で摺動駒９の釦部９ａを長手軸を中心に適宜回転させることにより、摺動駒９の基部９ｂと案内溝係止部１ｂの係止が解除され、筆記体２は収納状態に移ることができる。
図４は、図１のＡ−Ａ断面矢視図であり、摺動駒９の内方部９ｃが筆記体２を抱設し、摺動駒９が略長手軸を中心に回転可能に配置されている。具体的に説明すると、筆記体前方部材２ａと筆記体後方部材２ｂとは螺合よって着脱自在に連結・固定されており、その螺合部分に前記内方部９ｃが緩着されている。即ち、内方部９ｃは、筆記体前方部材２ａと筆記体後方部材２ｂとによって挟み込まれた状態で筆記体２と一体化しているのである。また、前記筆記体前方部材２ａと筆記体後方部材２ｂは、螺合によって連結されており、その螺合構造の前方部が気密構造部となっている。具体的には、筆記体前方部材２ａの内面に形成されている円周リブが、筆記体後方部材２ｂに形成されている平面部２ｆに接触し、互いが圧接・変形し密着する気密構造となっている。これによって、後述するインキ吸蔵体のインキが、前記気密構造部から蒸発しない、或いは、極めて蒸発しにくい螺合構造となっている。
【００１０】
尚、前記気密構造によって連結された筆記体前方部材２ａと筆記体前方部材２ｂの内部には、繊維集束体からなるインキ吸蔵体が挿着されているが、スポンジやウレタン、綿などの多孔質体であっても良い。そして、前記繊維集束体からなるインキ吸蔵体の表面には、薄いフイルム状部材からなる被覆体が巻き付けられているが、その被覆体には微細な貫通孔を複数形成しても良い。
図５は主要部品の分解斜視図である。摺動駒９の内方部９ｃは筆記体２に嵌着される、前方部材２ａと後方部材２ｂで形成される縮径部（本実施例では後方部材２ｂ側）２ｃに回転可能に配置されている。符号２ｄは、筆記体前方部材２ａに形成された係止リブであって、その係止リブ２ｄは、前記ガイド筒６に係合している。即ち、筆記体前方部材２ａとガイド筒６とは相対的に回転が不可能な状態となっている。
【００１１】
【発明の効果】
本発明は、軸筒の前端から出没可能な筆記体を内設し、その筆記体の出没動作に連動して蓋体が開閉する出没式筆記具であって、前記筆記体にシール筒部を摺動可能に配置し、そのシール筒部の前方に前記蓋体を取り付けると共に、シール筒部の内方部には大径部を形成したので、筆記体の出没安定が良好な出没式筆記具を提供することができる。
【図面の簡単な説明】
【図１】本発明の１例を示す筆記体収納状態の要部縦断面図である。
【図２】図１の要部拡大図である。
【図３】筆記体突出状態の要部縦断面図である。
【図４】図３の横断面図である。
【図５】分解斜視図である。
【符号の説明】
１    軸筒
１ａ  案内溝
１ｂ  係止部
１ｃ  後端部
１ｅ  幅広部
１ｆ  面取り部
１ｇ  係止穴
１ｈ  係止穴
１ｉ  規制溝
１ｊ  突起
２    筆記体
２ａ  筆記体前方部材
２ｂ  筆記体後方部材
２ｃ  縮径部
２ｄ  係止リブ
２ｆ  平面部
３    シール筒部
４    シール蓋
５    細径部
６    ガイド筒
７    弾撥部材
８    クリップ
９    摺動駒
９ａ  釦部
９ｂ  基部
９ｃ  内方部
９ｅ  傾斜部
９ｇ  面取り部
【図１】
2004330452.tif 000003
【図２】
2004330452.tif 000004
【図３】
2004330452.tif 000005
【図４】
2004330452.tif 000006
【図５】
2004330452.tif 000007